(57)【要約】【課題】本発明は、ブレーキ部品の凸部やパーキングケーブルとの干渉を避け、トー、キャンバ、面剛性を向上させ、製品の精度向上およびコストダウンを図ることが可能なトーションビーム式サスペンションのブレーキ取付構造を提供することにある。【解決手段】本発明は、トレーリングアーム１に固定されたキャリア６にブレーキ部品９が取付けられるトーションビーム式サスペンションのブレーキ取付構造において、キャリア６は、ブレーキ部品９を取付ける取付面部１０と、取付面部１０の両側に設けられる側面部１１とによって形成されている一方、ブレーキ部品９のケーブル取出部には凸部１３が形成され、キャリア６にはブレーキ部品９の凸部１３と対応する凹部１５が設けられている。【選択図】                図１
2004231081.tif 000002
【特許請求の範囲】
【請求項１】
トレーリングアームに固定されたキャリアにブレーキ部品が取付けられるトーションビーム式サスペンションのブレーキ取付構造において、前記キャリアは、前記ブレーキ部品を取付ける取付面部と、該取付面部の両側に設けられる側面部とによって形成されている一方、前記ブレーキ部品のケーブル取出部には凸部が形成され、前記キャリアには前記ブレーキ部品の凸部と対応する凹部が設けられていることを特徴とするトーションビーム式サスペンションのブレーキ取付構造。
【請求項２】
前記キャリアは、前記取付面部の両側で前記側面部を折り曲げることにより対称形状に形成され、前記凹部は、前記取付面部と前記側面部との境界の角部に設けられていることを特徴とする請求項１に記載の車両のトーションビーム式サスペンションのブレーキ取付構造。
【発明の詳細な説明】
【０００１】
【発明の属する技術分野】
本発明は、車両のトーションビーム式サスペンションのブレーキ取付構造に関するものである。
【０００２】
【従来の技術】
従来から、車両のサスペンション装置には、操縦性、乗り心地、振動特性等を考慮して種々のものが採用されており、その中の一つにトーションビーム式サスペンションがある。このトーションビーム式サスペンションは、車両の幅方向に間隔を置いて配設される左右一対のトレーリングアームと、車両の幅方向に沿って配設され、これらトレーリングアームを連結するトーションビームとをそれぞれ備えている（例えば、特許文献１参照）。
【０００３】
【特許文献１】
特開平１１−３４６２３号公報
【０００４】
ところで、従来のトーションビーム式サスペンションには、図７および図８に示すようなブレーキ部品５１が取付けられており、該ブレーキ部品５１には、図示しないパーキングケーブルを取出すため、外方へ突出する凸部５２が設けられている。一方、図９および図１０に示す如く、トレーリングアーム５３の外周部には、パネル状のキャリア５４が起立状態で取付けられている。
このキャリア５４は、図１１に示す如く、所定形状に打ち抜かれたパネル素材５４ａの左右両側部および中央下部をそれぞれ同方向へほぼ直角に折り曲げることによって形成されており、ブレーキ部品５１を取付ける取付面部５５と、トレーリングアーム５３に固定するアーム溶接部５６とを備えている。したがって、キャリア５４は、取付面部５５の左右両側下部およびアーム溶接部５６をトレーリングアーム５３の外周部に重ね合わせ、この重ね合わせ部分を溶接によって接合すれば、トレーリングアーム５３に取付けられることになる（図９および図１０参照）。
【０００５】
【発明が解決しようとする課題】
しかしながら、上述したトーションビーム式サスペンションのブレーキ取付構造では、ブレーキ部品５１に設けられたパーキングケーブル取出用の凸部５２や、パーキングケーブル本体（図示せず）との干渉を避けるために、図９に示す如く、キャリア５４に切欠き５７を設ける必要がある。このような切欠き５７がキャリア５４に設けられると、本来、トー、キャンバ、面剛性を高めるべきはずのキャリア５４の剛性が低下してしまうという不具合が発生することになる。また、キャリア５４には、その中央下部に形成したアーム溶接部５６が必要となり、歩留まりが悪化するので、部品のコスト高を招くおそれがある。しかも、トレーリングアーム５３に対するキャリア５４の溶接箇所が増えることになるので、製品の精度も悪化してしまうおそれがあった。
なお、図１２に示す如く、ブレーキ部品５１には、凸部５２の代わりに大きな寸法の平坦部６２を突出して設け、当該平坦部６２にパーキングケーブル６３を取付けると共に、当該平坦部６２を利用してキャリア５４にブレーキ部品５１を取付けることも可能であるが、ブレーキ部品５１のホイールセンタ６４とキャリア５４の取付面部５５との距離Ｌ２が増加してしまい、これによってブレーキ部品５１やキャリア５４などに作用するモーメントが大きくなるので、精度や剛性が低下し、設計上あまり好ましくないことが予測される。
【０００６】
本発明はこのような実状に鑑みてなされたものであって、その目的は、ブレーキ部品の凸部やパーキングケーブルとの干渉を避け、トー、キャンバ、面剛性を向上させ、製品の精度向上およびコストダウンを図ることが可能なトーションビーム式サスペンションのブレーキ取付構造を提供することにある。
【０００７】
【課題を解決するための手段】
上記従来技術の有する課題を解決するために、本発明においては、トレーリングアームに固定されたキャリアにブレーキ部品が取付けられるトーションビーム式サスペンションのブレーキ取付構造において、前記キャリアは、前記ブレーキ部品を取付ける取付面部と、該取付面部の両側に設けられる側面部とによって形成されている一方、前記ブレーキ部品のケーブル取出部には凸部が形成され、前記キャリアには前記ブレーキ部品の凸部と対応する凹部が設けられている。
【０００８】
また、本発明において、前記キャリアは、前記取付面部の両側で前記側面部を折り曲げることにより対称形状に形成され、前記凹部は、前記取付面部と前記側面部との境界の角部に設けられている。
【０００９】
【発明の実施の形態】
以下、本発明を図示の実施の形態に基づいて詳細に説明する。
【００１０】
図１〜図６は、本発明に係るトーションビーム式サスペンションのブレーキ取付構造の実施の形態を示している。本実施形態のトーションビーム式サスペンションは、図１および図２に示す如く、車両の前後方向に沿って延び、かつ幅方向に間隔を置いて配設される左右一対のトレーリングアーム１と、車両の幅方向に沿って配設され、これらトレーリングアーム１を前後方向の中間位置で連結するトーションビーム２とをそれぞれ備え、トレーリングアーム１の外周部内側とトーションビーム２の左右両端とは、溶接によって互いに接合されている。
【００１１】
トレーリングアーム１の前端には、車体側に枢支される支持部３が設けられている。また、トーションビーム２の車両後方位置で、左右一対のトレーリングアーム１の車両前後方向の中間部内側には、溶接によって接合されるほぼ水平配置のコイルブラケット４がそれぞれ設けられており、これらコイルブラケット４によって、図示しないコイルスプリングの下端部を支持するようになっている。さらに、トレーリングアーム１の後端には、車両内側へ向かってほぼ水平に延びるショックアブソーバ支持ピン５が取付けられており、該支持ピン５によって図示しないショックアブソーバの下端部を支持するようになっている。
【００１２】
また、トレーリングアーム１の後端近傍の外周部には、図１および図２に示す如く、車両外方に臨んで配置するパネル状のキャリア６が起立状態で取付けられている。このキャリア６は、図５に示す如く、所定形状に打ち抜かれたパネル素材６ａの所定箇所に大径のアクスルシャフト用挿入穴７と小径の４個の取付穴８を明け、左右両側部をそれぞれ同方向へほぼ直角に折り曲げることによって形成されており、ブレーキ部品９を取付ける中央位置の取付面部１０と、該取付面部１０の左右両側位置に設けられる側面部１１とを備えている。すなわち、キャリア６は、図１〜図４に示す如く、取付面部１０の左右両側で側面部１１をそれぞれ折り曲げることにより、中央軸線を基準にして左右対称の断面略Ｕ字形状に形成されている。
【００１３】
一方、ブレーキ部品９は、種々の機能部品を備えたブレーキアセンブリであり、キャリア６を利用して図１に示すトーションビーム式サスペンションに取付けられるものである。このブレーキ部品９には、図６に示す如く、パーキングケーブル１２を外方へ取出すための一対の凸部１３が設けられている。これら凸部１３は、ブレーキ部品９のホイールセンタ１４を中心にして両側に隣接配置され、外方へ向かって突出するなだらかな山形に形成されており、隣り合う凸部１３の境界部分に位置するホイールセンタ１４付近では、内方へ凹んだ谷形に形成されている。なお、パーキングケーブル１２は、一方の凸部１３から取出されるようになっている。
【００１４】
このため、本実施形態のキャリア６には、ブレーキ部品９の凸部１３との干渉を避ける構造にすべく、ブレーキ部品９の凸部１３と対応する位置に一対の凹部１５が設けられている。すなわち、これら凹部１５は、図１〜図３、図６に示す如く、取付面部１０および側面部１１の一部を内方へ向かって凹ませることにより形成されており、取付面部１０と側面部１１との境界の角部にそれぞれ設けられている。また、凹部１５は、ブレーキ部品９の凸部１３が入り込める大きさで湾曲形状に形成されている。
【００１５】
本発明の実施形態のブレーキ取付構造によってブレーキ部品９を取付けるには、先ず、キャリア６を左右一対のトレーリングアーム１の後端近傍の外周部にそれぞれ固定する。すなわち、所定の形状に形成され、大小径の穴７，８および凹部１５が設けられたキャリア６を持ち、左右両側の側面部１１の下端をトレーリングアーム１の外周部に重ね合わせ、この重ね合わせ部分を溶接にて接合することにより、キャリア６をトレーリングアーム１に取付ける（図１、図２、図４参照）。
次いで、ブレーキ部品９を持ち、凸部１３をキャリア６の取付面部１０側に向け、凹部１５に入り込ませながら取付面部１０に重ね合わせ、スクリュなどを取付穴７に挿入して締付ければ、ブレーキ部品９はキャリア６を介してトレーリングアーム１に取付けられることになる（図６参照）。
【００１６】
本発明の実施形態に係るトーションビーム式サスペンションのブレーキ取付構造では、トレーリングアーム１に固定されるキャリア６が、ブレーキ部品９を取付ける取付面部１０と、該取付面部１０の左右両側に設けられる側面部１１とによって形成され、かつ当該キャリア６にブレーキ部品９の凸部１３と対応する凹部１５が設けられているため、凸部１３を有するブレーキ部品９をトレーリングアーム１に取付ける場合も、ブレーキ部品９の凸部１３をキャリア６の凹部１５に入り込ませて当該凸部１３やパーキングケーブル１２とキャリア６との干渉を避けることが可能になる上、ブレーキ部品９のホイールセンタ１４とキャリア６の取付面部１０との距離Ｌ１を従来の距離Ｌ２よりも短くすることができ（図６および図１２参照）、ブレーキ部品９やキャリア６などに作用するモーメントを小さくでき、精度や剛性の向上によって好ましい設計を行うことができる。しかも、凹部１５の存在によって、アクスルのトー、キャンバ、キャリア６取付面部１０の面剛性を向上させることができる。
また、本発明の実施形態のブレーキ取付構造では、トレーリングアーム１に対するキャリア６の溶接箇所が従来の取付構造と比較して削減されているため、組付工数を減らし、製品の精度を向上させることができる。それに加え、本実施形態のキャリア６には、従来例のような切欠きやアーム溶接部を設ける必要がないため、歩留まりが良くなり、部品のコストダウンを図ることができる（図５および図１１参照）。
【００１７】
以上、本発明の実施の形態につき述べたが、本発明は既述の実施の形態に限定されるものではなく、本発明の技術的思想に基づいて各種の変形および変更が可能である。
【００１８】
【発明の効果】
上述の如く、本発明に係るトーションビーム式サスペンションのブレーキ取付構造は、トレーリングアームに固定されたキャリアにブレーキ部品が取付けられるものにおいて、前記キャリアは、前記ブレーキ部品を取付ける取付面部と、該取付面部の両側に設けられる側面部とによって形成されている一方、前記ブレーキ部品のケーブル取出部には凸部が形成され、前記キャリアには前記ブレーキ部品の凸部と対応する凹部が設けられているので、ブレーキ部品の凸部やパーキングケーブルとの干渉を避け、トー、キャンバ、面剛性を向上させると共に、トレーリングアームに対するキャリアの溶接箇所を従来の取付構造と比べて減らし、製品の精度向上およびコストダウンを図ることができる。
【００１９】
また、本発明のブレーキ取付構造において、前記キャリアが前記取付面部の両側で前記側面部を折り曲げることにより対称形状に形成され、前記凹部が前記取付面部と前記側面部との境界の角部に設けられていれば、車両の左右両側で共通のキャリア部品を使用することが可能となり、より一層のコストダウンを期待することができる。
【図面の簡単な説明】
【図１】本発明の実施の形態に係るトーションビーム式サスペンションを概略的に示す斜視図である。
【図２】本発明の実施の形態に係るトーションビーム式サスペンションにおいて、キャリア付近を示す側面図である。
【図３】図２におけるＡ−Ａ線断面図である。
【図４】図２におけるＢ−Ｂ線断面図である。
【図５】本発明の実施の形態に係るキャリアの加工前の展開した状態を示す平面図である。
【図６】本発明の実施の形態に係るトーションビーム式サスペンションのブレーキ取付構造によって、ブレーキ部品をキャリアに取付けた状態を示す断面図である。
【図７】車両のブレーキ部品を示す正面図である。
【図８】図７におけるＣ−Ｃ線断面図である。
【図９】従来のトーションビーム式サスペンションにおいて、キャリア付近を示す側面図である。
【図１０】図９におけるＤ−Ｄ線断面図である。
【図１１】従来におけるキャリアの加工前の展開した状態を示す平面図である。
【図１２】他の従来におけるトーションビーム式サスペンションのブレーキ取付構造によって、ブレーキ部品をキャリアに取付けた状態を示す断面図である。
【符号の説明】
１  トレーリングアーム
２  トーションビーム
６  キャリア
７  挿入穴
８  取付穴
９  ブレーキ部品
１０  取付面部
１１  側面部
１２  パーキングケーブル
１３  凸部
１４  ホイールセンタ
１５  凹部
【図１】
2004231081.tif 000003
【図２】
2004231081.tif 000004
【図３】
2004231081.tif 000005
【図４】
2004231081.tif 000006
【図５】
2004231081.tif 000007
【図６】
2004231081.tif 000008
【図７】
2004231081.tif 000009
【図８】
2004231081.tif 000010
【図９】
2004231081.tif 000011
【図１０】
2004231081.tif 000012
【図１１】
2004231081.tif 000013
【図１２】
2004231081.tif 000014